【手続補正書】
【提出日】平成26年9月2日(2014.9.2)
【手続補正１】
【補正対象書類名】明細書
【補正対象項目名】０１０６
【補正方法】変更
【補正の内容】
【０１０６】
本明細書で特定の代表的実施形態を詳細に説明したが、当然のことながら、当業者は上述の説明を理解した上で、これらの実施形態の代替物、変更物、及び均等物を容易に想起することができるであろう。したがって、本開示は本明細書で以上に述べた例示の実施形態に不当に限定されるべきではないと理解すべきである。特に、本明細書で用いるとき、端点による数値範囲が記載される場合、その範囲内に包含される全ての数を含むことを意図する（例えば、１〜５は、１、１．５、２、２．７５、３、３．８０、４、及び５を含む）。加えて、本文書中、使用されている全ての数字は用語「約」によって修飾されていると見なされる。様々な代表的実施形態を上で説明した。これらの及び他の実施形態は、以下の特許請求の範囲に含まれる。
本願発明に関連する発明の実施形態について以下に列挙する。
[実施形態１]
屋根デッキ上に設置するための屋根葺き物品であって、
本体と、
前記本体の上部部分内に画定されている第１のチャネルであって、外部空気がそこを通して前記第１のチャネルに進入できる入口を含む、第１のチャネルと、
前記本体の下部部分内に画定されている第２のチャネルと、を含み、シートが前記第２のチャネルを前記第１のチャネルから分離し、前記第２のチャネルが前記シート内のオリフィスを介して前記第１のチャネルに操作可能に接続され、それにより前記外部空気が前記オリフィスを介して前記第２のチャネルに進入することができる、屋根葺き物品。
[実施形態２]
前記第２のチャネルが出口ポートを含み、前記外部空気が前記出口ポートを介して前記第２のチャネルを退出することができる、実施形態１に記載の屋根葺き物品。
[実施形態３]
前記第２のチャネルが入口ポートを含み、隣接する屋根葺き物品からの空気が、前記入口ポートを介して前記第２のチャネルに進入することができる、実施形態１又は２に記載の屋根葺き物品。
[実施形態４]
前記第２のチャネルが非調整空間と気流連通し、前記非調整空間からの非調整空気が前記入口ポートを介して前記第２のチャネルに進入することができる、実施形態３に記載の屋根葺き物品。
[実施形態５]
前記入口ポートを介して前記第２のチャネルに進入する前記非調整空気が、前記オリフィスを介して前記第２のチャネルに進入する外部空気と混合して混合空気を形成することができ、前記混合空気が前記出口ポートを介して前記第２のチャネルを退出することができる、実施形態４に記載の屋根葺き物品。
[実施形態６]
前記非調整空間が屋根裏である、実施形態４又は５に記載の屋根葺き物品。
[実施形態７]
前記第２のチャネルの下方に存在する断熱材を更に含む、実施形態１〜６のいずれか一項に記載の屋根葺き物品。
[実施形態８]
前記第１のチャネルが、第１のチャネルの上部内側表面及び第１のチャネルの下部内側表面を含み、前記第１のチャネルの上部内側表面及び第１のチャネルの下部内側表面のうちの１つ以上が、前記第１のチャネルの上部内側表面及び第１のチャネルの下部内側表面のうちの１つ以上と共に存在する放射障壁を含む、実施形態１〜７のいずれか一項に記載の屋根葺き物品。
[実施形態９]
前記第２のチャネルが、第２のチャネルの上部内側表面及び第２のチャネルの下部内側表面を含み、前記第２のチャネルの上部内側表面及び第２のチャネルの下部内側表面のうちの１つ以上が、前記第２のチャネルの上部内側表面及び第２のチャネルの下部内側表面のうちの１つ以上と共に存在する放射障壁を含む、実施形態１〜８のいずれか一項に記載の屋根葺き物品。
[実施形態１０]
前記本体の下部部分内に画定されている第３のチャネルを更に含み、第２のシートが前記第３のチャネルを前記第２のチャネルから分離する、実施形態１〜９のいずれか一項に記載の屋根葺き物品。
[実施形態１１]
前記第３のチャネルが非調整空間と気流連通している、実施形態１０に記載の屋根葺き物品。
[実施形態１２]
前記非調整空間が屋根裏である、実施形態１０に記載の屋根葺き物品。
[実施形態１３]
前記オリフィスに近接して前記第１のチャネル内に存在する空気案内部を更に含んで、外部空気をオリフィス内に指向させる、実施形態１〜１２のいずれか一項に記載の屋根葺き物品。
[実施形態１４]
華氏約３５０度（１７７℃）以上の温度に暴露された際に前記第１のチャネル又は前記第２のチャネルの少なくとも一方を少なくとも部分的に閉鎖する、前記気流路と共に存在する気流遮断器を更に含む、実施形態１〜１３のいずれか一項に記載の屋根葺き物品。
[実施形態１５]
前記気流遮断器が膨張材料を含む、実施形態１４に記載の屋根葺き物品。
[実施形態１６]
前記入口と共に存在するカバーを更に含み、前記カバーが、外部空気が前記カバーを通して前記第１のチャネル内へ流れることを可能にする、実施形態１〜１５のいずれか一項に記載の屋根葺き物品。
[実施形態１７]
前記入口の断面と、前記オリフィスの断面との比が、約２〜約４８である、実施形態１〜１６のいずれか一項に記載の屋根葺き物品。
[実施形態１８]
前記入口の断面と、前記オリフィスの断面との比が、約１〜約１２である、実施形態１〜１７のいずれか一項に記載の屋根葺き物品。
[実施形態１９]
屋根葺き物品であって、
本体と、
前記本体内に画定されている空気経路であって、そこを通して外部空気が前記空気経路に進入することができる入口を含む、空気経路と、
熱に暴露された際に前記経路を少なくとも部分的に閉鎖する、前記空気経路と共に存在する気流遮断器と、を含む、屋根葺き物品。
[実施形態２０]
前記熱が華氏約３５０度（１７７℃）以上の温度である、実施形態１９に記載の屋根葺き物品。
[実施形態２１]
前記気流遮断器が膨張材料を含む、実施形態１８に記載の屋根葺き物品。
[実施形態２２]
前記入口と共に存在するカバーを更に含み、前記カバーが、外部空気が前記カバーを通して前記空気経路内へ流れることを可能にする、実施形態１９〜２１のいずれか一項に記載の屋根葺き物品。
[実施形態２３]
実施形態１〜２２のいずれか一項に記載の複数の屋根葺き物品を含むパネルを備えた屋根葺きパネル。
[実施形態２４]
複数の屋根葺き物品の少なくとも一部分が一体形成されている、実施形態２３に記載の屋根葺きパネル。
[実施形態２５]
少なくとも２つの屋根葺き物品を含む屋根葺きシステムであって、各屋根葺き物品が、
本体と、
前記本体の上部部分内に画定されている第１のチャネルであって、外部空気がそこを通して前記第１のチャネルに進入できる入口を含む、第１のチャネルと、
前記本体の下部部分内に画定されている第２のチャネルと、を含み、シートが前記第２のチャネルを前記第１のチャネルから分離し、前記第２のチャネルが前記シート内のオリフィスを介して前記第１のチャネルに操作可能に接続され、それにより前記外部空気が前記オリフィスを介して前記第２のチャネルに進入することができ、
前記少なくとも２つの屋根葺き物品のそれぞれの前記第２のチャネルが、前記少なくとも２つの屋根葺き物品の間に気流路を形成するように気流連通されている、屋根葺きシステム。
[実施形態２６]
前記少なくとも２つの屋根葺き物品のそれぞれの前記第２のチャネルが、出口ポートを含み、前記外部空気が前記出口ポートを介して前記第２のチャネルを退出することができる、実施形態２５に記載の屋根葺きシステム。
[実施形態２７]
前記少なくとも２つの屋根葺き物品のそれぞれの前記第２のチャネルが、入口ポートを含み、隣接する屋根葺き物品からの空気が、前記入口ポートを介して前記第２のチャネルに進入することができる、実施形態２５又は２６に記載の屋根葺きシステム。
[実施形態２８]
前記少なくとも２つの屋根葺き物品のそれぞれの前記第２のチャネルが、非調整空間と気流連通し、前記非調整空間からの非調整空気が前記入口ポートを介して前記第２のチャネルに進入することができる、実施形態２７に記載の屋根葺きシステム。
[実施形態２９]
前記入口ポートを介して前記少なくとも２つの屋根葺き物品のそれぞれの前記第２のチャネルに進入する前記非調整空気が、前記オリフィスを介して前記少なくとも２つの屋根葺き物品の前記第２のチャネルに進入する外部空気と混合して混合空気を形成し、前記混合空気が前記出口ポートを介して前記少なくとも２つの屋根葺き物品の前記第２のチャネルを退出することができる、実施形態２７又は２８のいずれか一項に記載の屋根葺きシステム。
[実施形態３０]
前記少なくとも２つの屋根葺き物品のそれぞれが、前記本体の下部部分内に画定されている第３のチャネルを更に含み、第２のシートが前記第３のチャネルを前記第２のチャネルから分離する、実施形態２５〜２９のいずれか一項に記載の屋根葺きシステム。
[実施形態３１]
華氏約３５０度（１７７℃）以上の温度に暴露された際に前記第１のチャネル又は前記第２のチャネルの少なくとも一方を少なくとも部分的に閉鎖する、前記気流路と共に存在する気流遮断器を更に含む、実施形態２５〜３０のいずれか一項に記載の屋根葺き物品。
[実施形態３２]
前記気流遮断器が膨張材料を含む、実施形態３１に記載の屋根葺き物品。
[実施形態３３]
少なくとも２つの屋根葺き物品を含む屋根葺きシステムであって、各屋根葺き物品が、
本体と、
前記本体内に画定されているチャネルであって、入口ポート及び出口ポートを含む、チャネルと、
前記少なくとも２つの屋根葺き物品が第１の接続部材及び第２の接続部材を使用して接続された際、前記少なくとも２つの屋根葺き物品の一方の前記出口ポートが、前記少なくとも２つの屋根葺き物品の他方の前記入口ポートと実質的に整合して、前記少なくとも２つの屋根葺き物品の間に気流路を形成するように、前記少なくとも２つの屋根葺き物品を相互接続するための前記第１の接続部材及び第２の接続部材と、を含む、屋根葺きシステム。
[実施形態３４]
前記第１の接続部材がタブを含み、前記第２の接続部材が凹部を含む、実施形態３３に記載の屋根葺きシステム。
[実施形態３５]
前記本体内に画定されている上部チャネルを更に含み、前記上部チャネルが、そこを通して外部空気が前記上部チャネルに進入できる外部空気入口を含み、シートが前記チャネルを前記上部チャネルから分離し、前記チャネルが、前記シート内のオリフィスを介して前記上部チャネルに操作可能に接続され、それにより前記外部空気が前記オリフィスを介して前記チャネルに進入することができる、実施形態３３に記載の屋根葺きシステム。
【手続補正２】
【補正対象書類名】特許請求の範囲
【補正対象項目名】全文
【補正方法】変更
【補正の内容】
【特許請求の範囲】
【請求項１】
屋根デッキ上に設置するための屋根葺き物品であって、
本体と、
前記本体の上部部分内に画定されている第１のチャネルであって、外部空気がそこを通して前記第１のチャネルに進入できる入口を含む、第１のチャネルと、
前記本体の下部部分内に画定されている第２のチャネルと、を含み、シートが前記第２のチャネルを前記第１のチャネルから分離し、前記第２のチャネルが前記シート内のオリフィスを介して前記第１のチャネルに操作可能に接続され、それにより前記外部空気が前記オリフィスを介して前記第２のチャネルに進入することができる、屋根葺き物品。
【請求項２】
前記第２のチャネルが出口ポートを含み、前記外部空気が前記出口ポートを介して前記第２のチャネルを退出することができる、請求項１に記載の屋根葺き物品。
【請求項３】
屋根葺き物品であって、
本体と、
前記本体内に画定されている空気経路であって、そこを通して外部空気が前記空気経路に進入することができる入口を含む、空気経路と、
熱に暴露された際に前記経路を少なくとも部分的に閉鎖する、前記空気経路と共に存在する気流遮断器と、を含む、屋根葺き物品。
【請求項４】
少なくとも２つの屋根葺き物品を含む屋根葺きシステムであって、各屋根葺き物品が、
本体と、
前記本体の上部部分内に画定されている第１のチャネルであって、外部空気がそこを通して前記第１のチャネルに進入できる入口を含む、第１のチャネルと、
前記本体の下部部分内に画定されている第２のチャネルと、を含み、シートが前記第２のチャネルを前記第１のチャネルから分離し、前記第２のチャネルが前記シート内のオリフィスを介して前記第１のチャネルに操作可能に接続され、それにより前記外部空気が前記オリフィスを介して前記第２のチャネルに進入することができ、
前記少なくとも２つの屋根葺き物品のそれぞれの前記第２のチャネルが、前記少なくとも２つの屋根葺き物品の間に気流路を形成するように気流連通されている、屋根葺きシステム。
【請求項５】
前記少なくとも２つの屋根葺き物品のそれぞれの前記第２のチャネルが、出口ポートを含み、前記外部空気が前記出口ポートを介して前記第２のチャネルを退出することができる、請求項４に記載の屋根葺きシステム。
【請求項６】
前記少なくとも２つの屋根葺き物品のそれぞれの前記第２のチャネルが、入口ポートを含み、隣接する屋根葺き物品からの空気が、前記入口ポートを介して前記第２のチャネルに進入することができる、請求項４又は５に記載の屋根葺きシステム。